(57)【特許請求の範囲】
【請求項１】
対向配置され、少なくとも一方がスライド可能である中空な一対のスクリーン取付枠部と、
これらのスクリーン取付枠部間に、収縮および展開自在として取り付けられ、かつ前記両スクリーン取付枠部から取り外し可能とされたスクリーンと、
前記スクリーン取付枠部への取付側でない前記スクリーンの両端部付近に配置可能とされ、かつ前記スクリーン取付枠部の内部に収納および引出可能とされ、少なくとも一端が自由端とされた一対のスライドガイド枠部と、
このスライドガイド枠部を形成する複数の剛性ユニットと、
前記スクリーンをその収縮および展開方向に貫通して前記スクリーンを支持する第１張力部材と、
前記スクリーン取付枠部の内部に配置され、前記両スライドガイド枠部の前記自由端に取り付けられ、前記両スライドガイド枠部を連結する、交差したループ状の第２張力部材と、
前記スライドガイド枠部の前記自由端の付近に一端が連結され、前記スクリーン取付枠部の内部において前記スクリーンの取付側に引き出されたジャンプ部材と、
前記第１張力部材の前記スクリーンから引き出された一端に取り付けられた第１コネクタと、
前記ジャンプ部材において前記スクリーンの前記取付側に引き出された他端に取り付けられた第２コネクタと
を備え、
前記剛性ユニットは、対向配置された一対の側壁部と、この側壁部を相互に連結する架橋部と、前記側壁部の一端部において外側に突出して設けられた第１突起と、前記側壁部の他端部において表裏を貫通して形成された貫通孔と、回動規制手段とを有し、前記貫通孔に前記第１突起が嵌め込まれて前記剛性ユニットは連結され、前記スライドガイド枠部を形成し、前記剛性ユニットは、隣り合う２つの間で前記第１突起を回動軸として回動自在であり、この剛性ユニットの回動により前記スライドガイド枠部は屈曲性を有する一方、前記回動規制手段によって直線性を保持し、
前記第１コネクタと前記第２コネクタは連結および解除が自在であり、前記スクリーンの交換が可能となっているスクリーン装置であって、
前記スクリーン取付枠部は、その長さ方向に設けられた隔壁によって、前記スライドガイド枠部の収納を可能とした第１収納部と、前記第２コネクタの収納を可能とした第２収納部とに区画され、
この第２収納部では、前記スクリーン取付枠部の長さ方向に設けられた一対のレールが設けられ、このレールは、前記スクリーン取付枠部の内側に突出し、前記隔壁と間隔を隔てて対向配置され、
前記第２コネクタは、平面視において矩形状の形状を有し、厚みを有する縦長の第１本体と、この第１本体の厚み方向の一端から外側に突出する一対のガイド片とを有し、前記第１本体は、その長さ方向の片側に前記ジャンプ部材の固定部を、残りの片側に、平面視において縦長の矩形状の形状を有し、前記第２コネクタの厚み方向に貫通する中空部をそれぞれ有し、この中空部では、その長さ方向に延び、対向する一対の内壁面から前記中空部の内側に突出する第２突起が設けられ、かつ前記中空部の下端に位置する前記第１本体では、その厚み方向に直線状に第１切欠部が切り欠かれ、
前記第２コネクタの前記第１本体は、前記ガイド片が、前記スライドガイド枠部の前記隔壁と前記レールとの間に挿入されて前記第２収納部において前記スクリーン取付枠部の長さ方向に沿ってスライド可能とされ、
前記第１コネクタは、前記第２コネクタの前記中空部に取り外し可能に嵌め込み可能な、縦長で平面視矩形状の形状を有し、厚みを有する第２本体と、この第２本体の横幅方向に対向する一対の側面部にその長さ方向に沿って形成された溝と、この第２本体の厚み方向に位置する一側面部として設けられ、前記第２コネクタの前記中空部の外形と同一な外形を有する片状のカバーとを有し、
前記第１コネクタと前記第２コネクタは、前記第２本体が前記第１本体の前記中空部の内部に、前記ガイド片と反対側に位置する第１開口を通じて挿入され、前記第２本体の前記溝に前記第１本体の前記第２突起が嵌り込み、前記第１本体の前記中空部の前記第１開口が前記第２本体の前記カバーにより閉鎖され、かつ前記第１張力部材が前記第１本体の前記第１切欠部に挿入されて連結され、前記カバーを前記第２コネクタから引き離すことによって、前記第２本体の前記溝から前記第１本体の前記第２突起が抜け外れ、前記第２本体が前記第１本体の前記中空部から取り出されて前記第１コネクタと前記第２コネクタの連結が解除される
ことを特徴とするスクリーン装置。
【請求項２】
前記スクリーン取付枠部の長さ方向の両端部を形成する端材が設けられ、
この端材は、中空な第３本体と、前記スライドガイド枠部の屈曲をガイドし、かつ前記第２張力部材に張力をかけるガイドブロックとを備え、
前記第３本体は、前記スクリーン取付枠部の前記隔壁と前記一対のレールとの間に嵌め込み可能に、前記第３本体の外側に突出する脚部を有し、
前記ガイドブロックは、前記スライドガイド枠部の屈曲をガイドする、湾曲するガイド面と、円板状の形状を有し、回転軸により支持されて回転可能であり、円周部の一部に前記第２張力部材が掛け回される張力調整部材とを有し、
一方の端材は、前記第３本体において前記脚部とは反対側に位置する第２開口を閉鎖するキャップをも備え、
このキャップは、前記第２開口を閉鎖するときに前記スクリーン取付枠部の前記スクリーンの前記取付側に配置される一端縁部に、前記第３本体側に突出し、前記スライドガイド枠部が前記第３本体の外側にずれるのを規制する小突片を有し、
前記一方の端材では、前記小突片に対応する前記第３本体の側壁部の一部に第２切欠部が形成され、
前記キャップが前記一方の端材に取り付けられ、前記第２開口を閉鎖するとき、前記小突片の表面と前記第３本体の前記側壁部の表面とが面一に配置される
ことを特徴とする請求項１に記載のスクリーン装置。
【請求項３】
一方のスライドガイド枠部を形成する第１剛性ユニットと他方のスライドガイド枠部を形成する第２剛性ユニットとは大きさが異なり、前記第１剛性ユニットの大きさは前記第２剛性ユニットの大きさよりも小さく、
前記第１剛性ユニットでは、側壁部の中央部から一端部にかけての半部に、前記第１剛性ユニットの幅方向に窪んだ窪み部が形成され、前記中央部から他端部にかけての半部に、この半部を表裏に貫通する貫通孔が形成され、かつ前記中央部の内側に、前記貫通孔に隣接して突部が設けられ、前記窪み部では、外側に突出する回動軸が設けられ、かつ前記窪み部の前記中央部から前記側壁部の前記一端部にかけての部分に、前記側壁部の高さ方向に切り落とされた切り落とし部が形成され、隣り合う２つの前記第１剛性ユニットは、一方の前記第１剛性ユニットの前記回動軸が他方の前記第１剛性ユニットの前記貫通孔に内側から回動自在に嵌め込まれて連結され、前記突部が、前記切り落とし部が有する一端と他端のそれぞれに接触するまでの範囲内で、一方の前記第１剛性ユニットが他方の前記第１剛性ユニットに対し回動自在とされて、前記一方のスライドガイド枠部の屈曲性と直線性の保持とが可能とされ、
前記第２剛性ユニットでは、前記回動規制手段として小突起と長孔が設けられ、前記小突起は、前記第１突起の隣で前記側壁部から外方に突出し、前記長孔は、三日月状の形状を有し、前記貫通孔の隣に前記側壁部の表裏を貫通して形成され、前記小突起が前記長孔に差し込まれ、隣り合う２つの前記第２剛性ユニットの間では、前記小突起が前記長孔の一端に接触するとき、前記第２剛性ユニットの回動が制止され、前記他方のスライドガイド枠部の直線性の保持が可能とされ、
前記両スライドガイド枠部が前記スクリーン取付枠部の前記第１収納部の内部に収納されるとき、前記第１剛性ユニットの側壁部が前記第２剛性ユニットの側壁部の間の内側に入り込み、前記一方のスライドガイド枠部が、前記他方のスライドガイド枠部と前記スクリーン取付枠部の前記第１収納部の内部で交差する
ことを特徴とする請求項１または２に記載のスクリーン装置。
【請求項４】
前記第１剛性ユニットにより形成される前記一方のスライドガイド枠部は、中央部に連結ユニットを備え、この連結ユニットの長さ方向の両側に、前記第１剛性ユニットの複数が連結されて形成された第１ユニットと、同じく前記剛性ユニットの複数が連結されて形成された第２ユニットとが連結されて前記一方のスライドガイド枠部が形成され、
前記連結ユニットは、対向配置された一対の側壁部と、この側壁部を相互に連結する架橋部とを備え、前記連結ユニットでは、前記側壁部の長さ方向の両端部に、前記第１剛性ユニットの窪み部と同じ窪み部が形成され、この窪み部に、前記側壁部の外側に突出する回動軸が設けられ、この回動軸は、前記第１剛性ユニットの前記回動軸と同じものであり、かつ前記窪み部では、前記第１剛性ユニットと同様に、前記側壁部の下面から前記側壁部の高さ方向の半分まで円弧状に窪み部が切り落とされて切り落とし部が形成され、この切り落とし部は、前記側壁部の長さ方向に平行な一端と、前記側壁部の高さ方向に平行な他端とを有し、
前記第１ユニットおよび前記第２ユニットが、それらの連結側に位置する前記貫通孔に前記連結ユニットの前記回動軸が内側から回動自在に嵌め込まれて連結され、かつ前記第１ユニットおよび前記第２ユニットが、前記第１剛性ユニットの前記突部が、前記連結ユニットの前記切り落とし部が有する前記一端と前記他端のそれぞれに接触するまでの範囲内で、前記第１ユニットおよび前記第２ユニットの前記連結側に位置する前記第１剛性ユニットが前記連結ユニットに対し回動自在とされている
ことを特徴とする請求項３に記載のスクリーン装置。
【発明の詳細な説明】
【技術分野】
【０００１】
本発明は、汚れたり、破れたりなどした際のスクリーンの交換がより容易に可能であるスクリーン装置に関する。
【背景技術】
【０００２】
カーテン、ブラインドなどの遮光および調光手段や網戸、間仕切りなどとして使用する際の設置の制約を解消し、また、優れた操作性とスクリーンの形状安定性を実現する装置として、本出願人は、特許文献１に記載したスクリーン装置を提供している。
【０００３】
特許文献１に記載したスクリーン装置に関し、本出願人は、汚れや破れなどが生じた場合のスクリーンの交換を容易に可能とし、スクリーン装置の設置個所においてスクリーンを新品のものに交換することのできるような改良を行っている（特許文献２）。
【０００４】
特許文献２に記載したスクリーン装置では、スクリーンがスクリーン取付枠部から取り外し自在とされている。また、スクリーンを長さ方向に複数個所で貫通する第１張力部材のスクリーンから引き出された一端に第１コネクタが設けられている。また、スライドガイド枠部の自由端付近にジャンプ部材の一端が連結され、このジャンプ部材の、スクリーン取付側に引き出された他端に第２コネクタが設けられている。このようなスクリーン装置では、第１コネクタと第２コネクタは着脱自在とされ、スライドガイド枠部がスクリーン取付枠部の内部から引き出された状態においてスクリーンの交換が可能とされている。
【０００５】
したがって、特許文献２に記載したスクリーン装置では、スライドガイド枠部をスクリーン取付枠部からある程度引き出した状態においてスクリーンの交換が可能である。つまり、スクリーンをスクリーン取付枠部から取り外し、第１コネクタと第２コネクタの連結を解除することによって、スクリーンをスクリーン取付枠部から取り外すことができる。また、交換用である新品のスクリーンを取り付ける際には、第１コネクタと第２コネクタを結合させ、スクリーンをスクリーン取付枠部に取り付けるだけで済む。
【０００６】
このように、特許文献２に記載したスクリーン装置は、スクリーンの交換を容易に実現し、かつスクリーンの交換は設置個所において実行することができる。スクリーンの交換は、スクリーン装置のユーザー自身が行うことも可能である。
【先行技術文献】
【特許文献】
【０００７】
【特許文献１】欧州特許第0999335号明細書
【特許文献２】欧州特許第2034123号明細書
【発明の概要】
【発明が解決しようとする課題】
【０００８】
上記のとおりの特許文献２に記載したスクリーン装置ではあるが、その後の検討により以下の改善すべき点が見出された。すなわち、スクリーンの交換のために設けられた、着脱自在な第１コネクタおよび第２コネクタではあるが、第２コネクタをスクリーン取付枠部の内部に配置するためのジャンプ部材は、スクリーン取付枠部の内部では宙ぶらりんな状態に置かれている。スクリーン取付枠部の内部には一対のスライドガイド枠部がスクリーン装置の開閉にともなって進入、退出するため、そのように宙ぶらりんな状態にあるジャンプ部材は、スクリーン取付枠部と接触しないとは言い切れない。特に、スクリーン取付枠部の見付寸法を小さくし、スクリーン装置全体の外観を高める場合には、ジャンプ部材とスライドガイド枠部が接触する可能性が高くなり、スクリーン装置の開閉に支障をきたすことも考えられる。
【０００９】
また、そのように宙ぶらりんなジャンプ部材であるため、第１コネクタと第２コネクタの連結および解除の際には、ユーザーなどは第２コネクタに片手をしっかりと携える必要があり、ワンタッチ式という訳にはいかない。
【００１０】
本発明は、以上のとおりの事情に鑑みてなされたものであり、汚れたり、破れたりなどした際のスクリーンの交換がより容易に可能であるスクリーン装置を提供することを課題としている。
【課題を解決するための手段】
【００１１】
まず、本発明のスクリーン装置は、以下の特徴を前提としている。
【００１２】
すなわち、スクリーン装置は、対向配置され、少なくとも一方がスライド可能である中空な一対のスクリーン取付枠部と、スクリーン取付枠部間に、収縮および展開自在として取り付けられ、かつ両スクリーン取付枠部から取り外し可能とされたスクリーンと、スクリーン取付枠部への取付側でないスクリーンの両端部付近に配置可能とされ、かつスクリーン取付枠部の内部に収納および引出可能とされ、少なくとも一端が自由端とされた一対のスライドガイド枠部とを備えている。
【００１３】
また、スクリーン装置は、スライドガイド枠部を形成する複数の剛性ユニットと、スクリーンをその収縮および展開方向に貫通してスクリーンを支持する第１張力部材と、スクリーン取付枠部の内部に配置され、両スライドガイド枠部の自由端に取り付けられ、両スライドガイド枠部を連結する、交差したループ状の第２張力部材とを備えている。
【００１４】
また、スクリーン装置は、スライドガイド枠部の自由端の付近に一端が連結され、スクリーン取付枠部の内部においてスクリーンの取付側に引き出されたジャンプ部材と、第１張力部材のスクリーンから引き出された一端に取り付けられた第１コネクタと、ジャンプ部材においてスクリーンの取付側に引き出された他端に取り付けられた第２コネクタ（１０）とを備えている。
【００１５】
このようなスクリーン装置では、剛性ユニットは、対向配置された一対の側壁部と、この側壁部を相互に連結する架橋部と、側壁部の一端部において外側に突出して設けられた第１突起と、側壁部の他端部において表裏を貫通して形成された貫通孔と、回動規制手段とを有している。貫通孔に第１突起が嵌め込まれて剛性ユニットは連結され、スライドガイド枠部を形成し、剛性ユニットは、隣り合う２つの間で第１突起を回動軸として回動自在であり、剛性ユニットの回動によりスライドガイド枠部は屈曲性を有する一方、回動規制手段によって直線性を保持する。
【００１６】
そして、スクリーン装置では、第１コネクタと第２コネクタは連結および解除が自在であり、スクリーンの交換が可能となっている。
【００１７】
このような特徴を有するスクリーン装置を前提として、本発明のスクリーン装置は、上記の課題を解決するために、以下の特徴を有している。
【００１８】
すなわち、スクリーン取付枠部は、その長さ方向に設けられた隔壁によって、スライドガイド枠部の収納を可能とした第１収納部と、第２コネクタの収納を可能とした第２収納部とに区画されている。この第２収納部では、スクリーン取付枠部の長さ方向に設けられた一対のレールが設けられ、レールは、スクリーン取付枠部の内側に突出し、隔壁と間隔を隔てて対向配置されている。
【００１９】
また、第２コネクタは、平面視において矩形状の形状を有し、厚みを有する縦長の第１本体と、第１本体の厚み方向の一端から外側に突出する一対のガイド片とを有している。第１本体は、その長さ方向の片側にジャンプ部材の固定部を、残りの片側に、平面視において縦長の矩形状の形状を有し、第２コネクタの厚み方向に貫通する中空部をそれぞれ有している。中空部では、その長さ方向に延び、対向する一対の内壁面から中空部の内側に突出する第２突起が設けられ、かつ中空部の下端に位置する第１本体では、その厚み方向に直線状に第１切欠部が切り欠かれている。
【００２０】
また、第２コネクタの第１本体は、ガイド片が、スライドガイド枠部の隔壁とレールとの間に挿入されて第２収納部においてスクリーン取付枠部の長さ方向に沿ってスライド可能とされている。
【００２１】
また、第１コネクタは、第２コネクタの中空部に取り外し可能に嵌め込み可能な、縦長で平面視矩形状の形状を有し、厚みを有する第２本体と、第２本体の横幅方向に対向する一対の側面部にその長さ方向に沿って形成された溝と、第２本体の厚み方向に位置する一側面部として設けられ、第２コネクタの中空部の外形と同一な外形を有する片状のカバーとを有している。
【００２２】
そして、第１コネクタと第２コネクタは、第２本体が第１本体の中空部の内部に、ガイド片と反対側に位置する第１開口を通じて挿入され、第２本体の溝に第１本体の第２突起が嵌り込み、第１本体の中空部の第１開口が第２本体のカバーにより閉鎖され、かつ第１張力部材が第１本体の第１切欠部に挿入されて連結される。カバーを第２コネクタから引き離すことによって、第２本体の溝から第１本体の第２突起が抜け外れ、第２本体が第１本体の中空部から取り出されて第１コネクタと第２コネクタの連結が解除される。
【発明の効果】
【００２３】
本発明のスクリーン装置によれば、汚れたり、破れたりなどした際のスクリーンの交換がより容易に可能となる。第１コネクタと第２コネクタの連結および解除は、ユーザーなどが片手でワンタッチ式で行うことも可能である。
【図面の簡単な説明】
【００２４】
【図１】本発明のスクリーン装置の第１実施形態を示した要部切欠正面図である。
【図２】図１に示したスクリーン装置のスライドガイド枠部を部分的に示した斜視図である。
【図３】図１に示したスクリーン装置のスクリーン取付枠部の周辺の要部平面図である。
【図４】図１に示したスクリーン装置の第１コネクタおよび第２コネクタをジャンプ部材および第１張力部材とともに示した分解斜視図である。
【図５】図４に示した第１コネクタと第２コネクタの連結状態と、スクリーン取付枠部の内部での配置を示した分解斜視図である。
【図６】図１に示したスクリーン装置の一方のスクリーン取付枠部の一端部を示した要部斜視図である。
【図７】図６に示した端材の分解斜視図である。
【図８】図１に示したスクリーン装置のスクリーン取付枠部の一端部を示した平面図である。
【図９】本発明のスクリーン装置の第２実施形態を示した要部切欠正面図である。
【図１０】図１０に示したスクリーン装置のスライドガイド枠部を示した要部分解斜視図である。
【図１１】本発明のスクリーン装置の第３実施形態を示した要部切欠正面図である。
【図１２】（ａ）（ｂ）は、それぞれ、図１１に示したスクリーン装置の一方のスライドガイド枠部を形成する第１剛性ユニットと、一方のスライドガイド枠部の一部を示した斜視図である。
【図１３】本発明のスクリーン装置の第４実施形態を示した要部切欠正面図である。
【図１４】図１３に示したスクリーン装置の一方のスライドガイド枠部を示した要部分解斜視図である。
【発明を実施するための形態】
【００２５】
図１は、本発明のスクリーン装置の第１実施形態を示した要部切欠正面図である。
【００２６】
スクリーン装置１は、対向配置され、少なくとも一方がスライド可能である中空な一対のスクリーン取付枠部２ａ，２ｂと、スクリーン取付枠部２ａ，２ｂ間に、収縮および展開自在として取り付けられ、かつ両スクリーン取付枠部２ａ，２ｂから取り外し可能とされたスクリーン３とを備えている。
【００２７】
また、スクリーン装置１は、スクリーン取付枠部２ａへの取付側でないスクリーン３の両端部付近に配置可能とされ、かつスクリーン取付枠部２ａの内部に収納および引出可能とされ、少なくとも一端が自由端４Ａとされた一対のスライドガイド枠部４ａ，４ｂを備えている。スライドガイド枠部４ａ，４ｂは、複数の剛性ユニット５から形成されている。
【００２８】
また、スクリーン装置１は、スクリーン３をその収縮および展開方向に貫通してスクリーン３を支持する第１張力部材６と、スクリーン取付枠部２ａの内部に配置され、両スライドガイド枠部２ａ，２ｂの自由端４Ａに取り付けられ、両スライドガイド枠部２ａ，２ｂを連結する、交差したループ状の第２張力部材７とを備えている。
【００２９】
また、スクリーン装置１は、スライドガイド枠部２ａ，２ｂの自由端４Ａの付近に一端が連結され、スクリーン取付枠部２ａ，２ｂの内部においてスクリーン３の取付側に引き出されたジャンプ部材８と、第１張力部材６のスクリーン３から引き出された一端に取り付けられた第１コネクタ９と、ジャンプ部材８においてスクリーン３の取付側に引き出された他端に取り付けられた第２コネクタ１０とを備えている。
【００３０】
図２は、図１に示したスクリーン装置のスライドガイド枠部を部分的に示した斜視図である。
【００３１】
剛性ユニット５は、対向配置された一対の側壁部１１と、側壁部１１を相互に連結する架橋部１２と、側壁部１１の一端部において外側に突出して設けられた第１突起１３と、側壁部１１の他端部において表裏を貫通して形成された貫通孔１４と、回動規制手段１５とを有している。
【００３２】
剛性ユニット５は、貫通孔１４に第１突起１３が嵌め込まれて連結され、スライドガイド枠部４ａ，４ｂを形成し、剛性ユニット５は、隣り合う２つの間で第１突起１３を回動軸として回動自在である。剛性ユニット５の回動によりスライドガイド枠部４ａ，４ｂは屈曲性を有する一方、回動規制手段１５によって直線性を保持する。
【００３３】
このようなスクリーン装置１では、図１に示した第１コネクタ９と第２コネクタ１０は連結および解除が自在であり、スクリーン３の交換が可能となっている。
【００３４】
図３は、図１に示したスクリーン装置のスクリーン取付枠部の周辺の要部平面図である。図４は、図１に示したスクリーン装置の第１コネクタおよび第２コネクタをジャンプ部材および第１張力部材とともに示した分解斜視図である。図５は、図４に示した第１コネクタと第２コネクタの連結状態と、スクリーン取付枠部の内部での配置を示した分解斜視図である。
【００３５】
図３および図５に示したように、スクリーン取付枠部２ａは、その長さ方向に設けられた隔壁１６によって、スライドガイド枠部４ａ，４ｂの収納を可能とした第１収納部１７と、第２コネクタ１０の収納を可能とした第２収納部１８とに区画されている。第２収納部１８では、スクリーン取付枠部２ａの長さ方向に設けられた一対のレール１９ａ，１９ｂが設けられ、レール１９ａ，１９ｂは、スクリーン取付枠部２ａの内側に突出し、隔壁１６と間隔を隔てて対向配置されている。
【００３６】
図４に示したように、第２コネクタ１０は、平面視において矩形状の形状を有し、厚みを有する縦長の第１本体２０と、第１本体２０の厚み方向の一端から外側に突出する一対のガイド片２１ａ，２１ｂとを有している。第１本体２０は、その長さ方向の片側にジャンプ部材８の固定部２２を、残りの片側に、平面視において縦長の矩形状の形状を有し、第２コネクタ１０の厚み方向に貫通する中空部２３をそれぞれ有している。中空部２３では、その長さ方向に延び、対向する一対の内壁面２４から中空部２３の内側に突出する第２突起２５が設けられている。また、中空部２３の下端に位置する第１本体２０では、その厚み方向に直線状に第１切欠部２６が切り欠かれている。
【００３７】
また、図３および図５に示したように、第２コネクタ１０の第１本体２０は、ガイド片２１ａ，２１ｂが、スクリーン取付枠部２ａの隔壁１６とレール１９ａ，１９ｂとの間に挿入されて第２収納部１８においてスクリーン取付枠部２ａの長さ方向に沿ってスライド可能とされている。
【００３８】
一方、図４に示したように、第１コネクタ９は、第２コネクタ１０の中空部２３に取り外し可能に嵌め込み可能な、縦長で平面視矩形状の形状を有し、厚みを有する第２本体２７を有している。また、第１コネクタ９は、第２本体２７の横幅方向に対向する一対の側面部２８ａ，２８ｂにその長さ方向に沿って形成された溝２９を有している。また、第１のコネクタ９は、第２本体２７の厚み方向に位置する一側面部３０として設けられ、第２コネクタ１０の中空部２３の外形と同一な外形を有する片状のカバー３１を有している。
【００３９】
このようなスクリーン装置１では、図４および図５に示したように、第１コネクタ９と第２コネクタ１０は、第２本体２７が第１本体２０の中空部２３の内部に、ガイド片２１ａ，２１ｂと反対側に位置する第１開口３２を通じて挿入され、第２本体２７の溝２９に第１本体２０の第２突起２５が嵌り込み、第１本体２０の中空部２３の第１開口３２が第２本体２７のカバー３１により閉鎖され、かつ第１張力部材６が第１本体２０の第１切欠部２６に挿入されて連結される。一方、カバー３１を第２コネクタ１０から引き離すことによって、第２本体２７の溝２９から第１本体２０の第２突起２５が抜け外れ、第２本体２７が第１本体２０の中空部２３から取り出されて第１コネクタ９と第２コネクタ１０の連結が解除される。
【００４０】
このように、スクリーン装置１では、図３および図５に示したように、スクリーン取付枠部２ａの内部が、スライドガイド枠部４ａ，４ｂを収納可能とした第１収納部１７と第２コネクタ１０の収納を可能とした第２収納部１８とが隔壁１６によって区画され、第２コネクタ１０は、隔壁１６によって第１収納部１７と隔絶されている。また、第２コネクタ１０は、ガイド片２１ａ，２１ｂが、スクリーン取付枠部２ａの隔壁１６とレール１９ａ，１９ｂとの間に挿入されて、第２収納部１８においてスクリーン取付枠部２ａの長さ方向に沿ってスライド可能とされている。
【００４１】
したがって、スクリーン３の取付側に引き出され、他端において第２コネクタ１０に取り付けられたジャンプ部材８は、スクリーン取付枠部２ａの内部で宙ぶらりんに配置されることはなく、第２収納部１８の内部に安定して配置される。このため、ジャンプ部材８は、第１収納部１７の内部に収納可能とされたスライドガイド枠部４ａ，４ｂと接触する可能性はほとんどない。たとえスクリーン取付枠部２ａの見付寸法を小さくし、スクリーン装置１の全体の外観を高める場合にも、ジャンプ部材８とスライドガイド枠部４ａ，４ｂが接触する可能性は十分低い。したがって、スクリーン装置１の開閉に支障をきたすおそれはほとんどない。
【００４２】
また、第２コネクタ１０は、第２収納部１８の内部では、隔壁１６とレール１９ａ，１９ｂの間にスライド可能に支持される。したがって、第１コネクタ９と第２コネクタ１０の連結および解除の際に、ユーザーなどは第２コネクタ１０に片手を携えてしっかり押さえる必要はほとんどない。第１コネクタ９と第２コネクタ１０の連結および解除はより容易であり、第２コネクタ１０を指で押さえた状態において、第１コネクタ９のカバー３１を指で摘まんでのワンタッチ操作も可能である。このように、スクリーン装置１は、汚れたり、破れたりなどした際のスクリーン３の交換がより容易に可能とする。
【００４３】
また、第１コネクタ９と第２コネクタ１０の連結および解除は、第２収納部１８の内部で実行することができるため、第１収納部１７の内部におけるスライドガイド枠部４ａ，４ｂの収納状態をあまり気にしないで済む。第２コネクタ１０がユーザーなどの人出が届くところに位置していればスクリーン３の交換は可能である。
【００４４】
より具体的には、図１に示したスクリーン装置１は、たとえば建物の開口部などを横引き式に開閉自在に配置されている。右側のスクリーン取付枠部２ｂは、上記開口部などの右側縁にタッピンねじによって固定することができる。左側のスクリーン取付枠部２ａは、上記開口部などを横方向にスライド可能とされ、左方向にスライドさせることによってスクリーン３を展開させることができ、上記開口部などを閉めることができる。また、右方向にスライドさせることによってスクリーン３を収縮させることができ、上記開口部などを開けることができる。上記開口部の左側縁には、その高さ方向に延びる戸当たり４７を取り付けることができる。戸当たり４７によって、スクリーン取付枠部２ａが上記開口部の左側端までスライドしたときのスクリーン取付枠部２ａのスライドを緩衝し、かつ上記開口部の左側端とスクリーン取付枠部２ａとの間に隙間が形成されるのを抑制することができる。
【００４５】
スクリーン取付枠部２ａの下端部には、スクリーン取付枠部２ａの下端から若干下側に突出する車輪４８が回転軸中心として回転自在に設けられている。また、上記開口部などの下端縁にはその長さ方向に沿ってボトムレール４９が設けられている。車輪４８はボトムレール４９上を回転することができ、スクリーン取付枠部２ａのスライドがよりスムーズに実現される。
【００４６】
上記開口部などの上端縁には、断面がＵ字型の形状を有するトップレール５０が設けられている。トップレール５０の内側の中空部にスクリーン取付枠部２ａ，２ｂの上端部が挿入されている。この挿入によって、スクリーン取付枠部２ａの横方向のスライドが安定化される。また、スクリーン３におけるスクリーン取付枠部２ａ，２ｂへの取付側ではない上端部付近に、スクリーン取付枠部２ａから引き出されるスライドガイド枠部４ａが露出するのを抑えることができる。
【００４７】
また、図１に示したスクリーン装置１では、スライドガイド枠部４ａ，４ｂの自由端４Ａでない他端は、スクリーン取付枠部２ｂの上下の端部にそれぞれ固定されている。したがって、スライドガイド枠部４ａの収納は、スクリーン取付枠部２ａの第１収納部１７のみで可能となっている。スクリーン取付枠部２ａの上下両端部には、凹状に湾曲するガイド面３７が設けられている。ガイド面３７によってスライドガイド枠部４ａ，４ｂがスクリーン取付枠部２ａ，２ｂの第１収納部１７の内部に進退するときの屈曲をガイドすることができ、進退をスムーズに行わせることができる。
【００４８】
また、スクリーン取付枠部２ａの上下両端部には、スクリーン３の取付側と反対側の位置に、張力調整部材３８が設けられている。張力調整部材３８は、円板状の形状を有し、回転軸により支持されて回転可能とされている。張力調整部材３８の円周部に第２張力部材７が掛け回され、第２張力部材７に適度な張力を与え、スライドガイド枠部４ａ，４ｂの連動と移動距離の均等化を実現している。このような張力調整部材３８には、たとえばプーリーなどを例示することができる。
【００４９】
スクリーン３のスクリーン取付枠部２ａ，２ｂの取付側の左右両端部には、スクリーンの高さ方向に延びる、長尺なセッティングプレート５１が設けられている。セッティングプレート５１では、上下方向に一定の間隔でガイド部材５２ａ，５２ｂが設けられており、ガイド部材５２ａは、スクリーン３を貫通する第１張力部材６をスクリーン３から引き出し、下方へと導くガイドとして機能する。一方、ガイド部材５２ｂは、第１張力部材６を一端部において固定するものである。ガイド部材５２ａの外側には、断面略Ｕ字状の形状を有する縦長で長尺なカバー部材５３が装着され、カバー部材５３の内部に下方へと導かれる第１張力部材６を収納し、ジャンプ部材８と絡まり合うのを抑制している。
【００５０】
また、スクリーン３の左端部に設けられたセッティングプレート５１の下端部には、第１張力部材６を上方に折り返す方向転換部材５４が設けられている。方向転換部材５４は、円筒状の形状を有する張力調整部材５５を備えており、張力調整部材５５もまた回転軸により支持されて回転可能であり、円筒部の一部に全ての第１張力部材を掛け回し、全ての第１張力調整部材に適度な張力を与えている。
【００５１】
図２に示したように、スライドガイド枠部４ａ，４ｂを形成する剛性ユニット５では、たとえば、側壁部１１には、競技場のトラックに類似する外形形状を有する板状のものなどが例示される。第１突起１３が設けられる側壁部１１の一端部は、側壁部１１の厚さ方向に円形に切り欠くことができ、この場合、剛性ユニット５同士を連結したときの側壁部１１の外面をスライドガイド枠部４ａ，４ｂの全体にわたって面一とすることができる。第１突起１３には、円筒状の形状を有するものが例示され、貫通孔１４には、円形形状を有するものが例示される。この場合の貫通孔１４の大きさは、第１突起１３の外形と等しいまたは若干大きくすることができる。
【００５２】
また、剛性ユニット５では、回動規制手段１５として、小突起４５と長孔４６が設けられている。小突起４５は、第１突起１３の隣で側壁部１１から外方に突出し、長孔４６は、三日月状の形状を有し、貫通孔１４の隣に側壁部１１の表裏を貫通して形成されている。このような回動規制手段１５では、小突起４５が長孔４６に差し込まれ、隣り合う２つの剛性ユニット５の間で、小突起４５が長孔４６の一端に接触するとき、剛性ユニット５の回動が制止される。この回動の制止によって、スライドガイド枠部４ａ，４ｂの直線性の保持が可能とされる。架橋部１２も板状のものが例示され、一対の側壁部１１において上寄りの部分に配置することができる。このような剛性ユニット５については、小突起４５も含め、スライドガイド枠部４ａ，４ｂの軽量化を考え合わせて、比較的硬質な樹脂製とすることが例示される。
【００５３】
図３に示したように、スクリーン３としては、プリーツ状のものやハニカム状のものなどが例示される。一方、スクリーン取付枠部２ａでは、図５にも示したように、第２収納部１８の第１収納部１７と反対側の位置に中空な第３収納部５６が設けられている。第３収納部５６は、収縮したスクリーン３を内部に収納する部位であり、スクリーン取付枠部２ａの幅方向の両端は開放されている。第３収納部５６では、第２収納部１８から遠い方の端は全開とされている。一方、第３収納部５６において第２収納部１８に隣接する部分では、片側から第３収納部５６の内側に突出し、スクリーン取付枠部２ａの長さ方向に延びる第１突片５７が設けられている。また、他の片側からは、第１突片５７に対向して第３収納部５６の内側に突出する突起５８が設けられている。また、第１突片５７には、第３収納部５６の内部に突出し、スクリーン取付枠部２ａの長さ方向に延び、かつ断面Ｌ字型の形状を有する支持片５９が設けられている。支持片５９において第１突片５７に対向して配置される部分は第３収納部５６の内側に延び、この部分と第１突片５７の間には、図１に示したセッティングプレート５１の厚さに等しいかまたは若干大きい間隔が形成されている。
【００５４】
セッティングプレート５１では、図３に示したように、一方の側端部に、第２収納部１８側に突出する第１爪６０が設けられている。このような第１突片５７、突起５８、支持片５９および第１爪６０によって、スクリーン取付枠部２ａへのスクリーン３の取り付けが容易となる。すなわち、スクリーン３をスクリーン取付枠部２ａに取り付ける際には、セッティングプレート５１の第１爪６０が設けられていない側の平板状の部分を第１突片５７と支持片５９の間の間隔に差し込んだ後、セッティングプレート５１の第１爪６０が設けられている側の側端部を第３収納部５６から第２収納部１８に向かって押し込むことによって、第１爪６０が、弾性変形し、突起５８を乗り越えた後に突起５８と結合する。この結合により、スクリーン３はスクリーン取付枠部２ａに固定される。一方、スクリーン３を取り外す際には、セッティングプレート５１のほぼ中央から第１爪６０が設けられている側の側端部を第３収納部５６側に引っ張ることによって、第１爪６０と突起５８の結合が解除され、第１突片５７と支持片５９の間の間隔に差し込んだ部分を抜き外す。このように、スクリーン３のスクリーン取付枠部２ａへの取付けおよび取り外しも容易である。
【００５５】
なお、上記のとおりの第１爪６０の弾性変形を利用するために、セッティングプレート５１の材質には、可撓性を有し、軽量である材料、たとえばアルミニウムなどの軽金属や比較的軟質な樹脂などが好ましく例示される。一方、スクリーン取付枠部２ａには、ある程度の剛性が要求されるので、操作性を考慮し軽量化も考え合わせると、スクリーン取付枠部２ａの材質には、たとえばアルミニウムなどの軽金属や比較的硬質な樹脂が好ましく例示される。
【００５６】
また、第３収納部５６ならびに第１突片５７、突起５８、支持片５９および第１爪６０は、図１に示したスクリーン取付枠部２ｂにも等しく適用が可能である。
【００５７】
図４および図５に示したように、第２コネクタ１０では、固定部２の幅方向の一端部でかつ長さ方向の一端部に、ジャンプ部材８の挿入が可能なスリット６１をあけて一対の第１固定部材６２ａ，６２ｂが設けられている。第１固定部材６２ａ，６２ｂは、断面Ｌ字型の形状を有する有底な部材である。また、第２コネクタ１０では、固定部２の中央部に、固定部２の厚さ方向に進退可能なねじ６３が設けられている。ジャンプ部材８は、ねじ６３の周りに掛け回された後に、スリット６１を通じて一対の第１固定部材６２ａ，６２ｂの間に形成された中空部に通され、先端部において球結びされる。第１固定部材６２ａ，６２ｂは有底な部材であるので、球結びは上記中空部の内底壁に留まることができ、球結びが上記中空部の内底壁に留まった状態において、ねじ６３を固定部２２に向けてねじ込むことによって、ジャンプ部材８は第２コネクタ１０に固定される。
【００５８】
このような第２コネクタ１０は、第１固定部材６２ａ，６２ｂも含めて可撓性を有する樹脂製とすることができる。同じく第１コネクタ９も可撓性を有する樹脂製とすることができる。複数の第１張力部材６のスクリーン３から引き出された一端部は、第２本体２７の内部に挿入と抜き外しが可能とされた円筒状の形状を有する第２固定部材６４の内部に挿入され、第２固定部材６４がカシメられて第２固定部材６４に固定されている。第１コネクタ９は、有底な部材であり、底壁には、第１張力部材６の挿入を可能とした円形形状を有する孔が形成されている。したがって、第１張力部材６は、上記孔を通じて第２本体２７の内部に挿入され、一端部が第２固定部材６４に固定された状態とされて第２固定部材６４を第２本体２７の内部に挿入することによって、第１コネクタ９に一端において取り付けられる。第２固定部材６４の材質としては、第１弾性部材６のカシメによる固定を可能とするために、軽量でかつ可撓性を有する、たとえばアルミニウムなどの軽金属が例示される。
【００５９】
なお、第１張力部材６、図１に示した第２張力部材７およびジャンプ部材８には、紐、金属製ワイヤーなどの各種のものが適用可能である。
【００６０】
図５に示したように、スクリーン取付枠部２ａの第１収納部１７は、隔壁１６と対向する面の一部に、スクリーン取付枠部２ａの長さ方向に延び、縦長の形状を有する第３開口６５が形成されている。第３開口６５を通じて第１収納部１７の内部にアクセスすることができ、スライドガイド枠部４ａ，４ｂおよび第２張力部材７の点検、保守などを容易としている。第３開口６５の長さ方向の両端縁には、第１収納部１７に突出する第２突片６６ａ，６６ｂが設けられている。また、第３開口６５には閉鎖部材が取付および取り外し自在に設けられる。
【００６１】
図３に示したように、通常時には、スクリーン取付枠部２ａには、第３収納部５６と反対側に位置する面に閉鎖部材６７が取り付けられ、第１収納部１７は閉鎖された空間とされる。閉鎖部材６７の幅方向の端部には、裏面側に突出する一対の第２爪６８ａ，６８ｂが設けられている。閉鎖部材６７は、第３開口６５の内側に第２爪６８ａ，６８ｂを挿入し、スクリーン取付枠部２ａに向けて押し付けることによって、第２爪６８ａ，６８ｂが、弾性変形し、第２突片６６ａ，６６ｂの先端を乗り越えて引っ掛かり、閉鎖部材６７はスクリーン取付枠部２ａに固定される。閉鎖部材６７を取り外す際には、閉鎖部材６７をスクリーン取付枠部２ａから外側に引き離すことによって、閉鎖部材６７はスクリーン取付枠部２ａから取り外される。このような閉鎖部材６７のスクリーン取付枠部２ａからの取り外しを容易とするために、たとえば、閉鎖部材６７の表面側に外側に突出する第３突片６９など設けることができる。第３突片６９は、本来的には、図１に示した戸当たり４７との召し合せ部からの光漏れを抑制するために設けられるものであるが、閉鎖部材６７の取り外しとしての機能を持たせることができる。
【００６２】
図６は、図１に示したスクリーン装置の一方のスクリーン取付枠部の一端部を示した要部斜視図である。図７は、図６に示した端材の分解斜視図である。
【００６３】
図６に示したように、図１に示したスクリーン装置１のスクリーン取付枠部２ａの上端部は、端材３３によって形成することができる。端材３３は、図７に示したように、中空な第３本体３４と、スライドガイド枠部４ａの屈曲をガイドし、かつ第２張力部材７に張力をかけるガイドブロック３５とを備えている。
【００６４】
第３本体３４は、図３および図５に示したスクリーン取付枠部２ａの隔壁１６と一対のレール１９ａ，１９ｂとの間に嵌め込み可能に、第３本体３４の外側に突出する脚部３６を有している。ガイドブロック３５は、スライドガイド枠部４ａの屈曲をガイドする、湾曲するガイド面３７と、円板状の形状を有し、回転軸により支持されて回転可能であり、円周部の一部に第２張力部材７が掛け回される張力調整部材３８とを有している。
【００６５】
スクリーン取付枠部２ａの上端部を形成する一方の端材３３ａは、第３本体３４において脚部３６とは反対側に位置する第２開口３９を閉鎖するキャップ４０をも備えている。キャップ４０は、第２開口３９を閉鎖するときにスクリーン取付枠部２ａのスクリーン３の取付側に配置される一端縁部に、第３本体３４側に突出し、スライドガイド枠部４ａが第３本体３４の外側にずれるのを規制する小突片４１を有している。このような端材３３ａでは、小突片４１に対応する第３本体３４の側壁部４２の一部に第２切欠部４３が形成されている。このため、図６に示したように、キャップ４０が端材３３ａに取り付けられ、第２開口３９を閉鎖するとき、小突片４１の表面と第３本体３４の側壁部４２の表面とが面一に配置される。
【００６６】
より具体的には、端材３３ａの第３本体３４では、端材３３ａが図１に示したスクリーン取付枠部２ａの上端部を形成する際に、図５に示した第３開口６５が形成された面と連続する面を形成する平面部７０に、第３本体３４の内部に突出し、第３本体の長さ方向に延びる固定レール７１が設けられている。固定レール７１の平面視の外形は、ほぼ台形状の形状を有している。一方、ガイドブロック３５では、ガイド面３７と反対側に位置する部分は真っ直ぐに延びており、この部分に、固定レール７１の外形形状と等しい形状を有する固定溝（図示なし）が形成されている。ガイドブロック３５の横幅は、端材３３ａの平面部７０の横幅よりも小さく、ガイドブロック３５は、第３本体３４の内部に収納され、固定される。ガイドブロック３５を第３本体３４の内部に固定する際には、第３本体３４の第２開口３９を通じて上記固定溝にその下端から固定レール７１を挿入する。第３本体３４の平面部７０の上端部には、一部が長さ方向に切り欠かれ、第３切欠部７２が形成されている。ガイドブロック３５において真っ直ぐに延びている上記の部分には、第３切欠部７２の横幅と深さと一致する横幅と厚みを有する天板部７３が設けられている。このため、天板部７３の下面が第３切欠部７２の上面に面接触すると、ガイドブロック３５は第３本体３４の内部に固定される。ガイドブロック３５の長さは第３本体３４の長さよりも短くされており、固定状態においてガイドブロック３５は第３本体３４の内部に納められる。また、天板部７３の上面は、第３本体３４の側面部４２の上面と面一に配置される。また、ガイドブロック３５において真っ直ぐに延びている上記の部分の側に位置する天板部７３の端面は、図６に示したように、第３本体３４の平面部７０の表面と面一に配置される。
【００６７】
また、図７に示したように、第３本体３４の側壁部４２と、側壁部４２に対向して配置された側壁部７４の平面部７０に近接する部分の上端部には、第２開口３９の内側にわずかに突出する第４突片７５ａ，７５ｂが設けられている。一方、キャップ４０においてその長さ方向に関し小突片４１と反対側に位置する一端部には、キャップ４０の幅方向の両端部に断面Ｌ字型の形状を有する位置決め片７６が設けられている。位置決め片７６は、キャップ４０において幅方向に関し対称に配置され、キャップ４０の外側に向かって開放している。上記のとおりにガイドブロック３５が第３本体３４の内部に納められた状態において、カップ４０の下面を第３本体３４の側壁部４２，７４の上面に沿って第３本体３４の幅方向にスライドさせると、位置決め片７６の開放された部分の内部に第４突片７５ａ，７５ｂが進入する。そして、キャップ４０のスライド方向の前側に位置する位置決め片７６の端面が平面部７０の裏面に接触すると、キャップ４０の幅方向の端面７７も第３本体３４の平面部７０の表面と面一に配置される。このとき、小突片４１は、第３本体３４の側壁部４２に形成された第２切欠部４３に一致して配置され、小突片４１の表面と側壁部４２の表面と面一に配置される。キャップ４０の第３本体３４に対する配置が位置決めされる。
【００６８】
キャップ４０には、その中央に上下に貫通し、円形の形状を有する第１ねじ孔７８が形成され、ガイドブロック３５には、ガイド面３７を支持する躯体部７９の上面部においてねじ孔７８に対応する部分に第２ねじ孔８０が形成されている。したがって、キャップ４０が上記のとおりに第３本体３４に位置決めされた状態において、ねじ８１を第１ねじ孔７８の上側から第２ねじ孔８０の内部にねじ込むことによって、キャップ４０は、第３本体３４に固定される。このように、第３本体３４の内部にガイドブロック３５が固定され、かつキャップ４０も固定され、第２開口３９が閉鎖された状態において、端材３３ａは、脚部３６を、図３および図５に示したスクリーン取付枠部２ａの隔壁１６とレール１９ａ，１９ｂとの間に挿入することによって取り付けられ、スクリーン取付枠部２ａの上端部を形成する。
【００６９】
端材３３ａのキャップ４０に設けられた小突片４１は、図１に示したスライドガイド枠部４ａが、ガイド面３７によって屈曲して第１収納部１７の内部に進入するときに、進入方向に対して直交を含む交差方向にずれ、第３本体３４の外側にずれてしまい、第３本体３４の側壁部４２とキャップ４０の側面との間に、図２に示した剛性ユニット５の側壁部１１が入り込むのを抑制するという機能を有する。また、小突片４１は、剛性ユニット５の回動によって生じる架橋部１２間の隙間にキャップ４０の、後述するような突出部８２が入り込み、スクリーン装置１の開閉に支障をきたすのを抑制するという機能も有する。スクリーン装置１は、小突片４１によってより安定した開閉を実現可能とする。
【００７０】
なお、張力調整部材３８は、ガイドブロック３５の上端部に配置することができ、第２切欠部４３は、第３本体３４の側壁部４２の幅方向の一端部に形成することができる。第２切欠部４３は、側壁部７４において、側壁部４２に形成された第２切欠部４３と対向する位置に形成することもできる。このように、側壁部７４にも第２切欠部４３を形成することによって、第３本体３４が厚さ方向に対称な形状を有するため、部品点数を削減するのに有効となる。
【００７１】
また、図１に示したスクリーン取付枠部２ａの下端部は、端材３３ａに類似した端材３３によって形成することができる。具体的には、スクリーン取付枠部２ａの他幹部を形成する端材３３としては、端材３３ａからキャップ４０を削除し、ガイドブロック３５の下端部に車輪４８を回転軸により支持して回転可能に取り付けたものが例示される。
【００７２】
また、端材３３ａは、図１に示したスクリーン取付枠部２ｂに取り付けてその上端部を形成することもできる。こうすることも、スクリーン装置１の部品点数を削減するのに有効となる。
【００７３】
また、図６および図７に示したように、キャップ４０では、小突起４１が設けられた一端縁部から幅方向の中央にかけての部分を、第３本体３４の側壁部４２の幅よりも長くし、突出部８２を設けることができる。
【００７４】
図８は、図１に示したスクリーン装置のスクリーン取付枠部の一端部を示した平面図である。
【００７５】
図１に示したスクリーン取付枠部２ａ，２ｂに端材３３ａを取り付ける場合、２つのキャップ４０は、図８に示したように、平面視で左右対称に配置される。このため、スクリーン装置１を開けた場合、一方のキャップの突出部８２が他方のキャップ４０の突出していない部分に突出部８２が嵌り込むようになる。したがって、図３および図５に示した第３収納部５６への埃などの侵入を容易に抑制することが可能となる。また、突出部８２によって、スクリーン取付枠部２ａ，２ｂの両方に端材３３ａを取り付ける場合に、同一のキャップ４０をスクリーン取付枠部２ａ，２ｂに適用することができ、部品点数を削減することができる。
【００７６】
図９は、本発明のスクリーン装置の第２実施形態を示した要部切欠正面図である。
【００７７】
図９に示したスクリーン装置１ａに関し、図１に示したスクリーン装置１における部位と同一の部位については、図１に伏した符号と同一のものを図９にも付し、以下ではその説明を省略する。
【００７８】
図９に示したスクリーン装置１ａでは、図１に示したスクリーン装置１のスクリーン取付枠部２ｂにもスクリーン取付枠部２ａと同一のものを適用し、スクリーン取付枠部２ａ，２ｂのどちらも、建物の開口部などを横引き式に開閉自在に配置されている。すなわち、スクリーン装置１ａは両開き式のスクリーン装置である。
【００７９】
このような両開き式のスクリーン装置１ａであるために、スクリーン装置１ａでは、スクリーン装置１に設けられたスライドガイド枠部４ａ，４ｂの構造が一部異なっている。
【００８０】
図１０は、図９に示したスクリーン装置のスライドガイド枠部を示した要部分解斜視図である。
【００８１】
図１０に示したように、スライドガイド枠部４ａ，４ｂでは、中央部に連結ユニット８３が設けられている。スライドガイド枠部４ａ，４ｂは、連結ユニット８３に、複数の剛性ユニット５が連結されて形成された第１ユニット８４ａと、第１ユニット８４ａと同一の構造を有する第２ユニット８４ｂとが回動自在に連結されて形成されている。
【００８２】
連結ユニット８３は、剛性ユニット５と同様に、対向配置された一対の側壁部８５と、側壁部８５を相互に連結する架橋部８６と、側壁部８５の両端部において外側に突出して設けられた第３突起８７とを有している。また、連結ユニット８３は、回動規制手段８８としての小突起８９を有してもいる。側壁部８５には、競技場のトラックに類似する外形形状を有する板状のものなどが例示される。また、側壁部８５の厚さは、剛性ユニット５において第１突起１３が設けられた、円形に切り欠かれた部分と同じ厚さとされている。架橋部８６にも板状のものが例示され、一対の側壁部８５において上寄りの部分に配置することができる。
【００８３】
第３突起８７は、剛性ユニット５の第１突起１３と同一の形状を有している。小突起８９は、第３突起８７の隣でかつ側壁部８５の端部側に配置されている。小突起８９もまた、剛性ユニット５の小突起４５と同一の形状を有している。
【００８４】
このような連結ユニット８３の右側に第１ユニット８４ａが連結され、左側に第２ユニット８４ｂが連結されている。具体的には、第１ユニット８４ａにおいて最も左に位置する剛性ユニット５の貫通孔１４に第３突起８７が嵌め込まれ、かつ長孔４６に小突起８９が差し込まれて、第１ユニット８４ａは連結ユニット８３と連結されている。このため、第１ユニット８４ａは、第３突起８７を回動軸として回動自在とされる一方、小突起８９が長孔４６の一端に接触するとき、剛性ユニット５の回動が制止される。
【００８５】
第２ユニット８４ｂは、第１ユニット８４ａが上下反転して配置されている。つまり、第２ユニット８４ｂでは、架橋部１２は、一対の側壁部１１の下寄りの部分に配置されている。第２ユニット８４ｂは、第１ユニット８４ａと上下反転している点のみが異なっているだけであり、連結ユニット８３との連結方式は第１ユニット８４ａと同一である。すなわち、第２ユニット８４ｂにおいて最も右に位置する剛性ユニット５の貫通孔１４に第３突起８７が嵌め込まれ、かつ長孔４６に小突起８９が差し込まれて、第２ユニット８４ｂは連結ユニット８３と連結されている。
【００８６】
このようなスライドガイド枠部４ａ，４ｂを図９に示したスクリーン装置１ａは備えているので、スクリーン装置１ａは、どちらのスクリーン取付枠部２ａ，２ｂも横方向にスムーズにスライド移動可能であり、両開き式となっている。しかも、スクリーン取付枠部２ａ，２ｂの見付寸法が縮小可能となっている。
【００８７】
図１１は、本発明のスクリーン装置の第３実施形態を示した要部切欠正面図である。図１２（ａ）（ｂ）は、それぞれ、図１１に示したスクリーン装置の一方のスライドガイド枠部を形成する第１剛性ユニットと、一方のスライドガイド枠部の一部を示した斜視図である。
【００８８】
図１１に示したスクリーン装置１ｂに関し、図１に示したスクリーン装置１における部位と同一の部位については、図１に伏した符号と同一のものを図１１にも付し、以下ではその説明を省略する。
【００８９】
図１１に示したスクリーン装置１ｂでは、上側に位置する一方のスライドガイド枠部４ａを形成する第１剛性ユニット５ａと、下側に位置する他方のスライドガイド枠部４ｂを形成する第２剛性ユニット５ｂとは大きさが異なり、第１剛性ユニット５ａの大きさは第２剛性ユニット５ｂの大きさよりも小さい。
【００９０】
第１剛性ユニット５ａでは、図１２（ａ）（ｂ）に示したように、側壁部１１ａの中央部から一端部にかけての半部１１Ａに、第１剛性ユニット５ａの幅方向に窪んだ窪み部９０が形成されている。また、中央部から他端部にかけての半部１１Ｂに、半部１１Ｂを表裏に貫通する貫通孔１４ａが形成され、かつ中央部の内側に、貫通孔１４ａに隣接して突部９１が設けられている。窪み部９０では、外側に突出する回動軸９２が設けられ、かつ窪み部９０の中央部から側壁部１１ａの一端部にかけての部分に、前記側壁部１１ａの高さ方向に切り落とされた切り落とし部９３が形成されている。隣り合う２つの第１剛性ユニット５ａは、一方の第１剛性ユニット５ａの回動軸９２が他方の第１剛性ユニット５ａの貫通孔１４ａに内側から回動自在に嵌め込まれて連結されている。また、隣り合う２つの第１剛性ユニット５ａは、突部９１が、切り落とし部９３が有する一端９３ａと他端９３ｂのそれぞれに接触するまでの範囲内で、一方の第１剛性ユニット５ａが他方の第１剛性ユニット５ａに対し回動自在とされて、スライドガイド枠部４ａの屈曲性と直線性の保持とが可能とされている。
【００９１】
第２剛性ユニット５ｂは、図１および図２に示した剛性ユニット５と同一の構造を有している。すなわち、第２剛性ユニット５ｂでは、回動規制手段１５として小突起４５と長孔４６が設けられている。小突起４５は、第１突起１３の隣で側壁部１１ｂから外方に突出し、長孔４６は、三日月状の形状を有し、貫通孔１４の隣に側壁部１１ｂの表裏を貫通して形成されている。小突起４５が長孔４６に差し込まれ、隣り合う２つの第２剛性ユニット５ｂの間では、小突起４５が長孔４６の一端に接触するとき、第２剛性ユニット５ｂの回動が制止され、スライドガイド枠部４ｂの直線性の保持が可能とされる。
【００９２】
このような両スライドガイド枠部４ａ，４ｂが、図３および図５に示したスクリーン取付枠部２ａの第１収納部１８の内部に収納されるとき、第１剛性ユニット５ａの側壁部１１ａが第２剛性ユニット５ｂの側壁部１１ｂの間の内側に入り込み、スライドガイド枠部４ａが、スライドガイド枠部４ｂとスクリーン取付枠部２ａの第１収納部１７の内部で交差する。
【００９３】
より具体的には、図１２（ａ）（ｂ）に示したように、スライドガイド枠部４ａは、基本的にスライドガイド枠部４ｂと同様な構造を有している。すなわち、第１剛性ユニット５ａは、対向配置された一対の側壁部１１ａおよび両側壁部１１ａを繋ぐ架橋部１２ａを有している。架橋部１２ａは、側壁部１１ａの長さ方向の一端部から中央に欠けて延在している。側壁部１１ａには、ほぼ円筒状の形状を有する回動軸９２が側壁部１１ａの外側に突出して設けられている。また、側壁部１１ａには、架橋部１２ａが設けられていない他端部に貫通孔１４ａが側壁部１１ａの表裏を貫通して形成されている。
【００９４】
スライドガイド枠部４ａは、第１剛性ユニット５ａの複数が、隣り合う２つの間において回動軸９２を貫通孔１４ａに嵌め込むことによって連結されて形成されている。したがって、スライドガイド枠部４ａも、スライドガイド枠部４ｂと同様に屈曲性を有している。
【００９５】
一方、第１剛性ユニット５ａでは、第２剛性ユニット５ｂが有する小突起４５および長穴４６が省略されている。その代わりに、回動規制手段１５として、突部９１と切り落とし部９３が設けられている。突部９１はでは、上面９１ａが半部１１Ｂの長さ方向に延びる平面であり、下面９１ｂは、上面９１ａに対し、傾斜する傾斜面とされている。下面９１ｂの上面９１ａに対する傾斜角度は、たとえば３０°程度とすることができる。
【００９６】
切り落とし部９３は、半部１１Ａの下面から半部１１Ａの高さ方向の半分まで円弧状に窪み部９０が切り落とされて形成されている。切り落とし部９３は、側壁部１１ａの長さ方向に平行な一端９３ａと、側壁部１１ａの高さ方向に平行な他端９３ｂとを有している。
【００９７】
また、第１剛性ユニット５ａでは、回動軸９２の先端部に、側壁部１１ａの長さ方向の内側から外側に向かって傾斜する面取り部９４が形成されている。上記のとおり、隣り合う２つの第１剛性ユニット５ａは、一方の第１剛性ユニット５ａの回動軸９２が他方の第１剛性ユニット５ａの貫通孔１４ａに内側から挿入されて連結される。回動軸９２に形成された面取り部９４は、回動軸９２の貫通孔１４ａへの嵌め込みを容易とし、このため、第１剛性ユニット５ａの連結は容易に実現される。このように連結される隣り合う２つの第１剛性ユニット５ａでは、突部９１の上面９１ａが、切り落とし部９３の一端９３ａと他端９３ｂのそれぞれに接触するまでの約６０°程度の範囲内で、一方の第１剛性ユニット５ａが他方の第１剛性ユニット５ａに対して回動自在とされている。このため、第１剛性ユニット５ａの複数が、隣り合う２つにおいて回動自在に連結されて形成されるスライドガイド枠部４ａは、屈曲性を有する。また、第１剛性ユニット５ａの側壁部１１ａに設けられた突部９１の上面９１ａが、窪み部９０に形成された切り落とし部９３の一端９３ａに接触するときに、スライドガイド枠部４ａは直線性を保持する。突部９１および切り落とし部９３は、図１１に示したスライドガイド枠部４ｂが備える回動規制手段１５として機能し、第１剛性ユニット５ａにおける回動限界は突部９１と切り落とし部９３によって決まる。したがって、スライドガイド枠部４ａもまた、直線性の保持が可能となる。
【００９８】
また、第１剛性ユニット５ａは、第２剛性ユニット５ｂの側壁部１１ｂに設けられている、図２に示したような長孔４６が省略されているため、側壁部１１ａの見付寸法が縮小されていても、強度を保持することができる。
【００９９】
スライドガイド枠部４ａは、上記のとおり、第１剛性ユニット５ａの大きさが、スライドガイド枠部４ｂを形成する第２剛性ユニット５ｂとは大きさよりも小さい。このため、両スライドガイド枠部４ａ，４ｂが、図３および図５に示したスクリーン取付枠部２ａの第１収納部１８の内部に収納されるとき、第１剛性ユニット５ａの側壁部１１ａが第２剛性ユニット５ｂの側壁部１１ｂの間の内側に入り込み、スライドガイド枠部４ａが、スライドガイド枠部４ｂとスクリーン取付枠部２ａの第１収納部１７の内部で交差する。
【０１００】
そのようなスライドガイド枠部４ａ，４ｂのスクリーン取付枠部２ａの第１収納部１７での交差は、第１収納部１８の幅寸法の縮小を実現し、スクリーン取付枠部２ａの見付寸法をより縮小するのに有効となる。なお、この場合にも、図１１に示した第１コネクタ９、第２コネクタ１０およびジャンプ部材８は、図３および図５に示した隔壁１６によって第１収納部１７と隔絶されているので、スクリーン３の交換の上記のとおりの容易性は何ら損なわれることがない。
【０１０１】
しかも、第１剛性ユニット５ａでは、小突起４５および長穴４６を回動規制部材１５として採用していないので、スクリーン取付枠部４ａは、第１収納部１７の内部において、たとえばドライバーなどの工具を架橋部１２ａ間に差し込むことによって、容易に分離することができる。このため、スクリーン装置１ｂを建物の開口部などの高さに合わせるためのスクリーン取付枠部２ａ，２ｂの丈詰め作業を容易に行うことも可能となる。
【０１０２】
図１３は、本発明のスクリーン装置の第４実施形態を示した要部切欠正面図である。
【０１０３】
図１３に示したスクリーン装置１ｃに関し、図１１に示したスクリーン装置１ｂにおける部位と同一の部位については、図１に伏した符号と同一のものを図１３にも付し、以下ではその説明を省略する。
【０１０４】
図１３に示したスクリーン装置１ｃは、図９に示したスクリーン装置１ａに対応するものである。すなわち、図１１に示したスクリーン装置１ｂのスクリーン取付枠部２ｂにもスクリーン取付枠部２ａと同一のものを適用し、スクリーン取付枠部２ａ，２ｂのどちらも、建物の開口部などを横引き式に開閉自在に配置され、両開き式のスクリーン装置となっている。
【０１０５】
このような両開き式のスクリーン装置１ｃであるために、スクリーン装置１ｃでは、スクリーン装置１ｂに設けられたスライドガイド枠部４ａの構造が一部異なっている。スライドガイド枠部４ｂの構造は、図９に示したスライドガイド枠部４ｂの構造をそのまま踏襲している。
【０１０６】
図１４は、図１３に示したスクリーン装置の一方のスライドガイド枠部を示した要部分解斜視図である。
【０１０７】
図１４に示したように、スライドガイド枠部４ａでは、図１０に示したスライドガイド枠部４ｂと同様に、中央部に連結ユニット９５が設けられている。スライドガイド枠部４ａは、連結ユニット９５に、複数の剛性ユニット５ａが連結されて形成された第１ユニット９６ａと、第１ユニット９６ａと同一の構造を有する第２ユニット９６ｂとが回動自在に連結されて形成されている。
【０１０８】
連結ユニット９５は、第１剛性ユニット５ａと同様に、対向配置された一対の側壁部９７と、側壁部９７を相互に連結する架橋部９８とを備えている。連結ユニット９５では、側壁部９７の長さ方向の両端部に、第１剛性ユニット５ａの窪み部９０と同じ窪み部９９が形成され、窪み部９９に、側壁部９７の外側に突出する回動軸１００が設けられている。回動軸１００は、第１剛性ユニット５ａの回動軸９２と同じものである。また、窪み部９９では、第１剛性ユニット５ａと同様に、側壁部９７の下面から側壁部の高さ方向の半分まで円弧状に窪み部９０が切り落とされて切り落とし部１０１が形成されている。切り落とし部１０１は、側壁部９７の長さ方向に平行な一端１０１ａと、側壁部９７の高さ方向に平行な他端１０１ｂとを有している。
【０１０９】
第１ユニット９６ａおよび第２ユニット９６ｂは、それらの連結側に位置する貫通孔１４ａに連結ユニット９５の回動軸１００が内側から回動自在に嵌め込まれて連結されている。また、第１ユニット９６ａおよび第２ユニット９６ｂでは、第１剛性ユニット５ａの突部９１が、連結ユニット９５の切り落とし部１０１が有する一端１０１ａと他端１０１ｂのそれぞれに接触するまでの範囲内で、第１ユニット９６ａおよび第２ユニット９６ｂの連結側に位置する第１剛性ユニット５ａが連結ユニット９５に対し回動自在とされている。
【０１１０】
より具体的には、図１４に示したように、連結ユニット９５の２つの回動軸１００では、回動軸１００の先端部に、側壁部１１ａの長さ方向の内側から外側に向かって傾斜する面取り部１０２が形成されている。回動軸１００に形成された面取り部１０２は、回動軸１００の、第１ユニット９６ａおよび第２ユニット９６ｂを形成する第１剛性ユニット５ａの貫通孔１４ａへの嵌め込みを容易とし、このため、第１ユニット９６ａと第２ユニット９６ｂの連結ユニット９５による接続は容易に実現され、スライドガイド枠部４ａが形成される。連結部９５では、第１剛性ユニット５ａの突部９１の上面９１ａが、切り落とし部１０１の一端１０１ａと他端１０１ｂのそれぞれに接触するまでの約６０°程度の範囲内で、第１ユニット９６ａ、第２ユニット９６ｂのそれぞれが、連結ユニット９５に対して回動自在とされている。このため、スライドガイド枠部４ａもまた、屈曲性を有し、かつ直線性の保持が可能である。
【０１１１】
このようなスライドガイド枠部４ａ，４ｂを図１３に示したスクリーン装置１ｃは備えているので、スクリーン装置１ｃは、どちらのスクリーン取付枠部２ａ，２ｂも横方向にスムーズにスライド移動可能であり、両開き式となっている。しかも、スクリーン取付枠部２ａ，２ｂの見付寸法が縮小可能となっている。
【０１１２】
本発明のスクリーン装置は、以上の第１〜第４実施形態に限定されることはない。スクリーン取付枠部およびスライドガイド枠部の大きさおよび構造、剛性ユニットの大きさおよび構造、また、スクリーンの材質、構造および大きさなどの細部については様々な態様が可能である。
【符号の説明】
【０１１３】
１，１ａ，１ｂ、１ｃ  スクリーン装置
２ａ，２ｂ  スクリーン取付枠部
３  スクリーン
４ａ，４ｂ  スライドガイド枠部
４Ａ  自由端
５  剛性ユニット
５ａ  第１剛性ユニット
５ｂ  第２剛性ユニット
６  第１張力部材
７  第２張力部材
８  ジャンプ部材
９  第１コネクタ
１０  第２コネクタ
１１，１１ａ，１１ｂ  側壁部
１１Ａ，１１Ｂ  半部
１２，１２ａ  架橋部
１３  第１突起
１４，１４ａ  貫通孔
１５  回動規制手段
１６  隔壁
１７  第１収納部
１８  第２収納部
１９ａ，１９ｂ  レール
２０  第１本体
２１ａ，２１ｂ  ガイド片
２２  固定部
２３  中空部
２４  内壁面
２５  第２突起
２６  第１切欠部
２７  第２本体
２８ａ，２８ｂ  側面部
２９  溝
３０  一側面部
３１  カバー
３２  第１開口
３３，３３ａ  端材
３４  第３本体
３５  ガイドブロック
３６  ガイドブロック
３７  ガイド面
３８  張力調整部材
３９  第２開口
４０  キャップ
４１  小突片
４２  側壁部
４３  第２切欠部
４４  段差
４５  小突起
４６  長孔
９０  窪み部
９１  突部
９２  回動軸
９３  切り落とし部
９３ａ  一端
９３ｂ  他端
９５  連結ユニット
９６ａ  第１ユニット
９６ｂ  第２ユニット
９７  側壁部
９８  架橋部
９９  窪み部
１００  回動軸
１０１  切り落とし部
１０１ａ  一端
１０１ｂ  他端
【図１】
0006320863.tif 000002
【図２】
0006320863.tif 000003
【図３】
0006320863.tif 000004
【図４】
0006320863.tif 000005
【図５】
0006320863.tif 000006
【図６】
0006320863.tif 000007
【図７】
0006320863.tif 000008
【図８】
0006320863.tif 000009
【図９】
0006320863.tif 000010
【図１０】
0006320863.tif 000011
【図１１】
0006320863.tif 000012
【図１２】
0006320863.tif 000013
【図１３】
0006320863.tif 000014
【図１４】
0006320863.tif 000015